(57)【要約】【解決手段】親局と光分岐局３との間を幹線光ファイバ２で接続し、光分岐局３と複数の子局との間をそれぞれ支線光ファイバ４で接続し、光分岐局３には、支線光ファイバ４を通ってきた各子局から親局への上り光信号を合波する光カプラ３４と、光カプラ３４によって合波された光信号を幹線光ファイバ２を通して親局に送り出すとともに、親局から幹線光ファイバ２を通して受けた子局への下り光信号を光分波器３３に供給する光路切分け器３１と、光路切分け器３１から供給された下り光信号を、当該光信号の中に含まれる光の波長に応じて分波して、各支線光ファイバ２を通して各子局に送り出す前記光分波器３３とを備える。【効果】光カプラ３４によって各子局から親局への上り光信号を合波し、光路切分け器３１を通して親局に送り出すので、上り光信号は、光分波器３３を通過しない。したがって、光分波器３３は下り信号のみを分波すればよく、最小限の光ポート数で足りる。【選択図】        図２
2005012278.tif 000002
【特許請求の範囲】
【請求項１】
親局と光分岐局との間を幹線光ファイバで接続し、光分岐局と複数の子局との間をそれぞれ支線光ファイバで接続したＰＯＮ（Ｐａｓｓｉｖｅ  Ｏｐｔｉｃａｌ  Ｎｅｔｗｏｒｋ）システムにおいて、
前記幹線光ファイバは一芯の光ファイバで、前記支線光ファイバは１子局あたり二芯の光ファイバで構成され、前記光分岐局には、
前記支線光ファイバを通ってきた各子局から親局への上り光信号を結合する光結合器と、
前記光結合器によって結合された光信号を前記幹線光ファイバを通して親局に送り出すとともに、親局から前記幹線光ファイバを通して受けた子局への下り光信号を光分波器に供給する光路切分け器と、
前記光路切分け器から供給された下り光信号を、当該光信号の中に含まれる光の波長ごとに分波して、各支線光ファイバを通して各子局に送り出す前記光分波器とを備えることを特徴とする波長多重ＰＯＮシステム。
【請求項２】
下り光信号の波長帯と上り光信号の波長帯がある境界となる波長で２分されていて、前記光路切分け器は、前記境界となる波長を基準にして光路を切り分ける２波長帯合分波フィルタであることを特徴とする請求項１記載の波長多重ＰＯＮシステム。
【請求項３】
前記光路切分け器は、光サーキュレータであることを特徴とする請求項１記載の波長多重ＰＯＮシステム。
【請求項４】
下り光信号の波長と上り光信号の波長とが交互に配列されていることを特徴とする請求項１又は請求項３記載の波長多重ＰＯＮシステム。
【請求項５】
親局と光分岐局との間を幹線光ファイバで接続し、光分岐局と複数の子局との間をそれぞれ支線光ファイバで接続したＰＯＮ（Ｐａｓｓｉｖｅ  Ｏｐｔｉｃａｌ  Ｎｅｔｗｏｒｋ）システムにおいて、
前記幹線光ファイバは一芯の光ファイバで、前記支線光ファイバは１子局あたり二芯の光ファイバで構成され、前記光分岐局には、
前記支線光ファイバを通ってきた子局から親局への上り光信号を結合する光結合器と、
親局から前記幹線光ファイバを通して受けた子局への下り光信号を、当該光信号の中に含まれる光の波長ごとに分波して、各支線光ファイバを通して各子局に送り出すとともに、前記光結合器によって結合された光信号を、前記幹線光ファイバを通して親局に送り出す光合分波器とを備えることを特徴とする波長多重ＰＯＮシステム。
【発明の詳細な説明】
【０００１】
【発明の属する技術分野】
本発明は、親局と光分岐局との間を幹線光ファイバで接続し、光分岐局と複数の子局との間をそれぞれ支線光ファイバで接続したＰＯＮ（Ｐａｓｓｉｖｅ  Ｏｐｔｉｃａｌ  Ｎｅｔｗｏｒｋ）システムに関するものである。
【０００２】
【従来の技術】
親局と複数の子局との間を、光データ通信ネットワークを使って双方向通信するシステムにおいて、親局と各子局との間を、それぞれ１本の光ファイバで放射状に結ぶネットワーク構成が実用化されている（Ｓｉｎｇｌｅ  Ｓｔａｒ）。このネットワーク構成では、システム、機器構成は簡単になるが、１つの子局が１本の光ファイバを占有するので（子局数がＮあれば、通しの光ファイバがＮ本必要）、システムの低価格化を図るのが困難である。
【０００３】
そこで、１本の光ファイバを、複数の子局で共有するＰＯＮ（Ｐａｓｓｉｖｅ  Ｏｐｔｉｃａｌ  Ｎｅｔｗｏｒｋ）システム（ＰＤＳ（Ｐａｓｓｉｖｅ  Ｄｏｕｂｌｅ  Ｓｔａｒ）ともいう）が提案されている。このＰＯＮシステムは、親局と光分岐結合器（光カプラー）を備える光分岐局との間を幹線光ファイバで接続し、光分岐局と複数の子局との間をそれぞれ複数の支線光ファイバで接続したものである。
また最近では、幹線光ファイバに波長多重された複数の光を通すＰＯＮシステムも提案されている。この波長多重技術をＷＤＭ（Ｗａｖｅｌｅｎｇｔｈ  Ｄｉｖｉｓｉｏｎ  Ｍｕｌｔｉｐｌｅｘｉｎｇ）という。波長多重ＰＯＮシステムでは、光分岐結合器に代えて、波長ごとに合波・分波することのできる光合分波器が採用される。光合分波器は、例えば誘電体多層膜の光フイルタを使ったものや、ＡＷＧ（Ａｒｒａｙｅｄ−Ｗａｖｅｌｅｎｇｔｈ  Ｇｒａｔｉｎｇ）が使用される。
【０００４】
波長多重ＰＯＮシステムでは、光合分波器の特徴により、光分岐結合器に比べて光の分岐損失が少なく、かつ分岐数にかかわらず光の分岐損失が一定になるという利点がある。
【０００５】
【発明が解決しようとする課題】
ところが、従来の波長多重ＰＯＮシステムでは、親局から子局への下り光信号が光合分波器を通るときに分波されることはもちろんであるが、子局から親局への上り光信号も光合分波器を通って合波されることになる。
図１３は、従来の波長多重ＰＯＮシステムの概略図であり、親局の光伝送路終端装置ＯＬＴ（Ｏｐｔｉｃａｌ  Ｌｉｎｅ  Ｔｅｒｍｉｎａｌｓ）と光合分波器３６との間を一芯の幹線光ファイバ２で接続し、光合分波器３６と子局の光加入者線終端装置ＯＮＵ（Ｏｐｔｉｃａｌ  Ｎｅｔｗｏｒｋ  Ｕｎｉｔ）１〜ＯＮＵ４との間を、それぞれ二芯の支線光ファイバ４で接続している。
【０００６】
下り光信号の波長をλ１，λ２，λ３，λ４で表わし、上り光信号の波長をλ５，λ６，λ７，λ８で表わしている。λ１＜λ２＜λ３＜λ４＜λ５＜λ６＜λ７＜λ８の関係がある。ＯＮＵ１の下り光信号の波長はλ１、上り光信号の波長はλ５であり、ＯＮＵ２の下り光信号の波長はλ２、上り光信号の波長はλ６であり、ＯＮＵ３の下り光信号の波長はλ３、上り光信号の波長はλ７であり、ＯＮＵ４の下り光信号の波長はλ４、上り光信号の波長はλ８である。
【０００７】
図１４は、波長の関係を変更した波長多重ＰＯＮシステムの概略図であり、下り光信号の波長をλ１，λ３，λ５，λ７で表わし、上り光信号の波長をλ２，λ４，λ６，λ８で表わしている。λ１＜λ２＜λ３＜λ４＜λ５＜λ６＜λ７＜λ８の関係がある。ＯＮＵ１の下り光信号の波長はλ１、上り光信号の波長はλ２であり、ＯＮＵ２の下り光信号の波長はλ３、上り光信号の波長はλ４であり、ＯＮＵ３の下り光信号の波長はλ５、上り光信号の波長はλ６であり、ＯＮＵ４の下り光信号の波長はλ７、上り光信号の波長はλ８である。
【０００８】
上の図１３、図１４いずれの場合も、光合分波器３６を通る光の波数は、下り４波、上り４波、合計８波となり、８波を合波及び分波できる光合分波器３６が必要となる。
図１５は、上の図１３に対応する光合分波器３６を誘電体多層膜からなる光フィルタで構成したときの内部構成図を示す。光合分波器３６は、合計７枚の光フィルタａ〜ｇを備えている。光合分波器３６に入力された下り光信号の波長λ１，λ２，λ３，λ４のうち、波長λ１の光は光フィルタａを透過し、他の波長λ２，λ３，λ４の光は光フィルタａで反射される。光フィルタａで反射された光は光フィルタｂでも反射され、光フィルタｃに入射される。光フィルタｃでは波長λ２の光が透過し、他の波長λ３，λ４の光は反射される、という具合にして、最終的に波長λ１，λ２，λ３，λ４の光が、それぞれ４つの光ポートから出力される。一方、光合分波器３６に入力された上り光信号の波長λ８の光は光フィルタｇ，ｆ，ｅ，ｄ，ｃ，ｂ，ａで反射されてＯＬＴ側に集められる。他の波長λ７，λ６，λ５の光も、それぞれ光フィルタで反射されてＯＬＴ側に集められる。
【０００９】
図１６は、光フィルタａ〜ｇの光通過特性を示すグラフであり、光フィルタａ，ｃ，ｅ，．．，ｆは、それぞれ波長λ１〜λ７の光を透過させ他の波長の光を阻止することを示している。
図１５から分かるように、波長λ１，λ２，λ３，λ４の下り光信号を透過させる光フィルタａ，ｃ，ｅ，ｇに加えて、波長λ５，λ６，λ７の上り光信号を透過させるための光フィルタｂ，ｄ，ｆが必要である。
【００１０】
光合分波器３６は、扱う波数が多くなるほど光フィルタの枚数が増えて、光結合器に比べて高価になるので、最小限の波数を扱うだけで済む波長多重ＰＯＮシステムが望まれている。
そこで、本発明は、親局と複数の子局との間を、光分岐局を介して光ファイバで接続したＰＯＮシステムにおいて、光分岐局を安価に構成できる波長多重ＰＯＮシステムを提供することを目的とする。
【００１１】
【課題を解決するための手段】
本発明の波長多重ＰＯＮシステムは、親局と光分岐局との間を一芯の幹線光ファイバで接続し、光分岐局と複数の子局との間をそれぞれ二芯の支線光ファイバで接続し、前記光分岐局には、支線光ファイバを通ってきた各子局から親局への上り光信号を結合（合波と同じ意味で用いる。）する光結合器と、前記光結合器によって結合された光信号を前記幹線光ファイバを通して親局に送り出すとともに、親局から前記幹線光ファイバを通して受けた子局への下り光信号を光分波器に供給する光路切分け器と、前記光路切分け器から供給された下り光信号を、当該光信号の中に含まれる光の波長に応じて分波して、各支線光ファイバを通して各子局に送り出す前記光分波器とを備えるものである。
【００１２】
前記の構成によれば、光結合器によって各子局から親局への上り光信号を結合し、光路切分け器を通して親局に送り出すので、上り光信号は、光分波器を通過しない。したがって、光分波器は下り信号のみを分波すればよく、最小限の光ポート数で足りる。
前記光路切分け器は、下り光信号の波長帯と上り光信号との波長帯がある境界となる波長で２分されているときは、前記境界となる波長を基準にして光路を切り分ける２波長帯合分波フィルタが使用できる。また光路切分け器は、光サーキュレータも使用でき、下り光信号の波長と上り光信号との波長が交互に配列されているときに便利である。
【００１３】
また、本発明の他の波長多重ＰＯＮシステムは、支線光ファイバを通ってきた子局から親局への上り光信号を結合する光結合器と、親局から前記幹線光ファイバを通して受けた子局への下り光信号を、当該光信号の中に含まれる光の波長に応じて分波して、各支線光ファイバを通して各子局に送り出すとともに、前記光結合器によって結合された光信号を、前記幹線光ファイバを通して親局に送り出す光合分波器とを備えるものである。
【００１４】
この構成は、光結合器によって結合された子局から親局への上り光信号を、光合分波器の１つの光ポートに入力して、光合分波器から親局へ送り出す。したがって、請求項１記載の波長多重ＰＯＮシステムに比べて、光合分波器の光ポート数が１つ増えるが、光路切分け器を必要としない。
【００１５】
【発明の実施の形態】
以下、本発明の実施の形態を、添付図面を参照しながら詳細に説明する。
―システム全体構成―
図１は、波長多重ＰＯＮシステム（以下「ＰＯＮシステム」という）の全体構成を示す図である。局舎内のＰＯＮシステム構成部分を親局又は親局装置といい、加入者宅内のＰＯＮシステム構成部分を子局という。ＰＯＮシステムは、親局１、複数の子局５、及び光分岐局（リモートノードともいう）３を備え、親局１と光分岐局３との間を一芯の幹線光ファイバ２で接続し、光分岐局３と子局５との間をそれぞれ二芯の支線光ファイバ４で接続している。幹線光ファイバ２と支線光ファイバ４とを総称して「光ファイバ」という。光ファイバは一芯あたりシングルモードファイバを用いている。
【００１６】
親局１は、幹線光ファイバ２との接続端となる光伝送路終端装置ＯＬＴ（Ｏｐｔｉｃａｌ  Ｌｉｎｅ  Ｔｅｒｍｉｎａｌｓ）、レイヤ２スイッチ、及び上位のネットワークの接続端となるブロードバンドアクセスルータ等を備えている。
子局５は、宅内に設置されるパーソナルコンピュータ、パーソナルコンピュータのブロードバンド光信号を光ネットワークに送受する光加入者線終端装置ＯＮＵ（Ｏｐｔｉｃａｌ  Ｎｅｔｗｏｒｋ  Ｕｎｉｔ）等を備えている。
【００１７】
前記ＰＯＮシステムの動作を簡単に説明すると、上位のネットワークから親局１に入ってくる下り光信号は、親局１においてレイヤ２スイッチで所定の処理が行われて、光伝送路終端装置ＯＬＴを通して幹線光ファイバ２に送信される。ＷＤＭを利用しているので、送信する光信号の波長は、送信先の子局ごとに異なっている。幹線光ファイバ２に送信された光信号は、光分岐局３で分岐され、送信先の子局５によって受信され、子局５はその光信号を復号解読する。
【００１８】
一方、子局５から送信される上り光信号は、光分岐局３を経由して親局１で受信される。親局１では、レイヤ２スイッチで所定の処理が行われた後、ここからブロードバンドアクセスルータを介して上位のネットワークに送信される。
―第１の実施形態―
図２は、波長多重ＰＯＮシステムにおける光分岐局３の内部構成を示す図であり、光分岐局３は、光伝送路終端装置ＯＬＴと４つの光加入者線終端装置ＯＮＵ１〜ＯＮＵ４との間を中継している。
【００１９】
光伝送路終端装置ＯＬＴから幹線光ファイバ２を通して光分岐局３に入る下り光信号の波長をλ１，λ２，λ３，λ４とし、光加入者線終端装置ＯＮＵから支線光ファイバ４を通して光分岐局３に入る上り光信号の波長をλ５，λ６，λ７，λ８としている。λ１＜λ２＜λ３＜λ４＜λ５＜λ６＜λ７＜λ８の関係がある。ＯＮＵ１の下り光信号の波長はλ１、上り光信号の波長はλ５であり、ＯＮＵ２の下り光信号の波長はλ２、上り光信号の波長はλ６であり、ＯＮＵ３の下り光信号の波長はλ３、上り光信号の波長はλ７であり、ＯＮＵ４の下り光信号の波長はλ４、上り光信号の波長はλ８である。
【００２０】
光分岐局３は、２波長帯合分波フィルタ３１、光分波器３３及び光結合器として機能する光カプラ３４を備えている。
２波長帯合分波フィルタ３１は、図４に示すように、ある境界となる波長（波長λ４とλ５の中間にある）よりも短い波長λ１，λ２，λ３，λ４を含む帯域の光をＯＬＴから光分波器３３に向けて通過させ、光カプラ３４から伝搬されてきた前記境界となる波長よりも長い波長λ５，λ６，λ７，λ８を含む帯域の光をＯＬＴに向けて出力する機能を有している。
【００２１】
２波長帯合分波フィルタ３１に代えて光サーキュレータ３２を用いてもよい。光サーキュレータ３２は、図３に示すように、ＯＬＴから伝搬されてきた光を光分波器３３に向けて出力し、光カプラ３４から伝搬されてきた光をＯＬＴに向けて出力する機能を有している。光サーキュレータ３２は、例えば、磁場のファラデー回転効果を用いた光アイソレータと、２分岐型のスター型光カプラとを組み合わせて作ることができる。ファラデー回転効果に代えて導波路上のＴＥ／ＴＭモード変換効果を利用してもよい。
【００２２】
このように、光サーキュレータ３２は光の伝搬方向に基づいて光を分岐させ、２波長帯合分波フィルタ３１は光の波長帯域に基づいて光を分岐させるが、往復で光路を切分けるという効果は同じである。以下、特に断らない限り、より安価な２波長帯合分波フィルタ３１を使用するものとして説明を進める。
光分波器３３は、２波長帯合分波フィルタ３１から入力される波長λ１，λ２，λ３，λ４の光を、それぞれの波長に応じて、ＯＮＵ１向けの光ポート４ａ、ＯＮＵ２向けの光ポート４ｂ、ＯＮＵ３向けの光ポート４ｃ、ＯＮＵ４向けの光ポート４ｄに分岐させる。
【００２３】
光分波器３３には、波長λ１，λ２，λ３，λ４にそれぞれ通過帯域を持つ４つの光フィルタが備えられている。波長λ５，λ６，λ７，λ８の上り光信号はもともと光分波器３３を通過しないので、波長λ５，λ６，λ７，λ８に対応する光フィルタを備える必要はない。図５は、光分波器３３の分波特性図である。
光カプラ３４は、ＯＮＵ１〜４からの上り光信号を合波するものである。その構造は、１本の光導波路とそこから分岐された複数の光導波路からなる。光カプラ３４は、波長λ５，λ６，λ７，λ８の上り光信号の合波を行うことができる。合波された光は、前述したように、２波長帯合分波フィルタ３１に入力されてＯＬＴに向けて出射される。
【００２４】
このように、第１の実施形態では、図１３や図１４の従来の形態と違って、光分波器３３を通過する光の数、すなわち光ポート数を少なくできる。したがって、光分波器３３の内部に上り光信号の合波をするための光フィルタを用意する必要がなく、その機能を安価な光カプラ３４で代用することができる。この結果、光分岐局３のコスト上昇をおさえることができる。この価格低下の効果は、取り扱う波数、つまり光分岐局３にぶら下がる子局の数が多いほど大きくなる。
【００２５】
―第２の実施形態―
図６は、本発明の第２の実施形態にかかる波長多重ＰＯＮシステムにおける光分岐局３の内部構成図である。この光分岐局３と図２の光分岐局との違いは、波長が上り下りで入れ替わっていることだけである。
すなわち、光伝送路終端装置ＯＬＴから幹線光ファイバ２を通して光分岐局３に入る下り光信号の波長をλ５，λ６，λ７，λ８とし、光加入者線終端装置ＯＮＵから支線光ファイバ４を通して光分岐局３に入る上り光信号の波長をλ１，λ２，λ３，λ４としている。第１の実施形態と同様、λ１＜λ２＜λ３＜λ４＜λ５＜λ６＜λ７＜λ８の関係がある。ＯＮＵ１の下り光信号の波長はλ５、上り光信号の波長はλ１であり、ＯＮＵ２の下り光信号の波長はλ６、上り光信号の波長はλ２であり、ＯＮＵ３の下り光信号の波長はλ７、上り光信号の波長はλ３であり、ＯＮＵ４の下り光信号の波長はλ８、上り光信号の波長はλ４である。
【００２６】
光分波器３３は、２波長帯合分波フィルタ３１から入力される波長λ５，λ６，λ７，λ８の光を、それぞれの波長に応じて、ＯＮＵ１向けの光ポート４ａ、ＯＮＵ２向けの光ポート４ｂ、ＯＮＵ３向けの光ポート４ｃ、ＯＮＵ４向けの光ポート４ｄに分岐させる。
図７は、光分波器３３の分波特性図であり、光分波器３３には波長λ５，λ６，λ７，λ８にそれぞれ通過帯域を持つ４つの光フィルタが備えられている。波長λ１，λ２，λ３，λ４に対応する光フィルタは備えていない。
【００２７】
光カプラ３４は、ＯＮＵ１〜４からの上り光信号を合波するものである。簡単な構造で、波長λ１，λ２，λ３，λ４の上り光信号の合波を行うことができる。合波された光は、２波長帯合分波フィルタ３１に入力されてＯＬＴに向けて出射される。
このように、第２の実施形態においても、図１３や図１４の従来の形態と違って、光分波器３３を通過する光の数を少なくでき、光分岐局３のコスト上昇をおさえることができる。
【００２８】
―第３の実施形態―
本発明の第３の実施形態にかかる波長多重ＰＯＮシステムにおける光分岐局３の内部構成図を図８に示す。この光分岐局３と図２や図６の光分岐局との違いは、波長が上り下り交互に配列されていることである。
光伝送路終端装置ＯＬＴから幹線光ファイバ２を通して光分岐局３に入る下り光信号の波長はλ１，λ３，λ５，λ７であり、光加入者線終端装置ＯＮＵから支線光ファイバ４を通して光分岐局３に入る上り光信号の波長はλ２，λ４，λ６，λ８である。第１、第２の実施形態と同様、λ１＜λ２＜λ３＜λ４＜λ５＜λ６＜λ７＜λ８の関係がある。ＯＮＵ１の下り光信号の波長はλ１、上り光信号の波長はλ２となり、ＯＮＵ２の下り光信号の波長はλ３、上り光信号の波長はλ４となり、ＯＮＵ３の下り光信号の波長はλ５、上り光信号の波長はλ６となり、ＯＮＵ４の下り光信号の波長はλ７、上り光信号の波長はλ８となる。
【００２９】
光分波器３３は、光サーキュレータ３２から入力される波長λ１，λ３，λ５，λ７の光を、それぞれの波長に応じて、ＯＮＵ１向けの光ポート４ａ、ＯＮＵ２向けの光ポート４ｂ、ＯＮＵ３向けの光ポート４ｃ、ＯＮＵ４向けの光ポート４ｄに分岐させる。
光カプラ３４は、ＯＮＵ１〜４からの上り光信号を合波する素子であリ、簡単な構造で、波長λ２，λ４，λ６，λ８の上り光信号の合波を行うことができる。合波された光は、２波長帯合分波フィルタ３１に入力されてＯＬＴに向けて出射される。
【００３０】
なお、ここでは２波長帯合分波フィルタ３１に代えて光サーキュレータ３２を用いているが、この理由は、上り下りで波長が交互に配列されているので、２波長帯合分波フィルタ３１が使用できないからである。
図９は、光分波器３３が備える光フィルタの波長透過特性図であり、波長λ１，λ３，λ５，λ７にそれぞれ通過帯域を持つ４つの光フィルタが備えられている。この光分波器３３の特徴は、波長が上り下り交互に配列されていることにより、波長λ１，λ３，λ５，λ７相互の間隔が比較的広いことである。したがって、図２、図６の光分波器３３と比べて、なだらかな特性で済み、光フィルタの設計の余裕が向上する。例えば、光フィルタを誘電体多層膜で構成するときは、積層する誘電体の層数を少なくできる。
【００３１】
よって、この第３の実施形態では、光分波器３３を通過する光の数を少なくできるとともに、光分波器３３を構成する光フィルタの構造も簡単になり、光分岐局３のコストをさらに抑えることができる。
なお、図８では下り光信号の波長をλ１，λ３，λ５，λ７、上り光信号の波長をλ２，λ４，λ６，λ８としていたが、上りと下りを入れ替えて、下り光信号の波長をλ２，λ４，λ６，λ８とし、上り光信号の波長をλ１，λ３，λ５，λ７としてもよく、いずれの場合も発明の効果は同じである。
【００３２】
―第４の実施形態―
図１０は、第４の実施形態にかかる波長多重ＰＯＮシステムにおける光分岐局３の内部構成図である。この光分岐局３と図２、図６、図８の光分岐局との違いは、光分波器３３の下流光ポートを１つ増やした光合分波器３５を用い、ここにＯＮＵからの上り光信号を合波する光カプラ３４の出力端を接続したことである。なお、光合分波器３５の構造は、光分波器３３と基本的に同じである。
【００３３】
光伝送路終端装置ＯＬＴから幹線光ファイバ２を通して光分岐局３に入る下り光信号の波長をλ１，λ２，λ３，λ４とし、光加入者線終端装置ＯＮＵから支線光ファイバ４を通して光分岐局３に入る上り光信号の波長をλ５，λ６，λ７，λ８としている。λ１＜λ２＜λ３＜λ４＜λ５＜λ６＜λ７＜λ８の関係がある。ＯＮＵ１の下り光信号の波長はλ１、上り光信号の波長はλ５であり、ＯＮＵ２の下り光信号の波長はλ２、上り光信号の波長はλ６であり、ＯＮＵ３の下り光信号の波長はλ３、上り光信号の波長はλ７であり、ＯＮＵ４の下り光信号の波長はλ４、上り光信号の波長はλ８である。
【００３４】
この第４の実施形態では、光カプラ３４によって、波長λ５，λ６，λ７，λ８の上り光信号の合波を行い、この合波された光を、光合分波器３５の増設された下流光ポートに入力している。この下流光ポートに入力された光は、光合分波器３５の中の光フィルタを通って、ＯＬＴ側に出射され、幹線光ファイバ２を通してＯＬＴに供給される。
図１１は、光合分波器３５を誘電体多層膜からなる光フィルタで構成したときの内部構成図を示す。光合分波器３５は、合計４枚の光フィルタａ〜ｄを備えている。光合分波器３５に入力された下り光信号の波長λ１，λ２，λ３，λ４のうち、波長λ１の光は光フィルタａを透過し、他の波長λ２，λ３，λ４の光は光フィルタａで反射される。誘電体多層膜ａで反射された光のうち、波長λ２の光は光フィルタｂを透過し、他の波長λ３，λ４の光は光フィルタｂで反射され、光フィルタｃに入射される。光フィルタｃでは波長λ３の光が透過し、他の波長λ４の光は反射される。波長λ４の光は光フィルタｄを透過する、という具合にして、最終的に波長λ１，λ２，λ３，λ４の光が、それぞれ４つの光ポートから出力される。一方、光カプラ３４によって集められた上り光信号の波長λ５，λ６，λ７，λ８の光は光フィルタｄ，ｃ，ｂ，ａで反射されてＯＬＴ側の光ポートに集められる。
【００３５】
図１２は、光合分波器３５に備えられた光フィルタａ〜ｄの波長通過特性を示すグラフであり、図５と同様、４つの光フィルタａ〜ｄは、波長λ１，λ２，λ３，λ４にそれぞれ通過帯域を持つ。
図１５の従来の光合分波器３６と比較すると、波長λ５，λ６，λ７，λ８の上り光信号を光カプラ３４によって１つに集めるので、図１１の光合分波器３５では、光フィルタの数が４つで済む。つまり、図１５の光合分波器３６よりも、光フィルタの数が３つ少なくなっている。このため、光合分波器３５の構造が簡単になり、光カプラ３４を追加しても、全体のコスト低下が期待できる。
【００３６】
このように、第４の実施形態においても、図１３や図１４の従来の形態と違って、光合分波器３５を通過する光の数を少なくでき、光分岐局３のコスト上昇をおさえることができる。
以上で、本発明の実施の形態を説明したが、本発明の実施は、前記の形態に限定されるものではなく、本発明の範囲内で種々の変更を施すことが可能である。
【００３７】
【発明の効果】
以上のように請求項１記載の本発明によれば、光結合器によって各子局から親局への上り光信号を結合し、光路切分け器を通して親局に送り出すので、上り光信号は、光分波器を通過しない。したがって、光分波器は下り信号のみを分波すればよく、光分波器の光ポート数は、最小限で足り、高価な光分波器の構成を簡単にでき、コストの低下が実現できる。
【００３８】
また、請求項５記載の本発明によれば、光結合器によって結合された子局から親局への上り光信号を、光合分波器の１つの光ポートに入力して、光合分波器から親局へ送り出すので、請求項１記載の波長多重ＰＯＮシステムに比べて、光合分波器の光ポート数が１つ増えるが、光路切分け器を必要としない。したがって、コストのさらなる低下が期待できる。
【図面の簡単な説明】
【図１】波長多重ＰＯＮシステムの全体構成を示す図である。
【図２】波長多重ＰＯＮシステムにおける光分岐局３の内部構成を示す図である。
【図３】光サーキュレータ３２の機能図である。
【図４】２波長帯合分波フィルタ３１の波長通過特性図である。
【図５】光合分波器３３の分波特性図である。
【図６】第２の実施形態にかかる波長多重ＰＯＮシステムにおける光分岐局３の内部構成図である。
【図７】光合分波器３３の分波特性図である。
【図８】第３の実施形態にかかる波長多重ＰＯＮシステムにおける光分岐局３の内部構成図である。
【図９】光分波器３３が備える光フィルタの波長通過特性図である。
【図１０】第４の実施形態にかかる波長多重ＰＯＮシステムにおける光分岐局３の内部構成図である。
【図１１】光合分波器３５を誘電体多層膜からなる光フィルタで構成したときの光合分波器３５の内部構成図である。
【図１２】光合分波器３５に備えられた光フィルタａ〜ｄの波長通過特性を示すグラフである。
【図１３】従来の波長多重ＰＯＮシステムの概略図である。
【図１４】波長の関係を変更した従来の波長多重ＰＯＮシステムの概略図である。
【図１５】図１３に対応する光合分波器３６を誘電体多層膜からなる光フィルタで構成したときの内部構成図である。
【図１６】光フィルタａ〜ｇの光通過特性を示すグラフである。
【符号の説明】
１  親局
２  幹線光ファイバ
３  光分岐局
４  支線光ファイバ
４ａ〜４ｅ  光合分波器の光ポート
５  子局
３１  ２波長帯合分波フィルタ
３２  光サーキュレータ
３３  光分波器
３４  光カプラ
３５  光合分波器
３６  光合分波器
ＯＬＴ  親局の光伝送路終端装置
ＯＮＵ  子局の光加入者線終端装置
【図１】
2005012278.tif 000003
【図２】
2005012278.tif 000004
【図３】
2005012278.tif 000005
【図４】
2005012278.tif 000006
【図５】
2005012278.tif 000007
【図６】
2005012278.tif 000008
【図７】
2005012278.tif 000009
【図８】
2005012278.tif 000010
【図９】
2005012278.tif 000011
【図１０】
2005012278.tif 000012
【図１１】
2005012278.tif 000013
【図１２】
2005012278.tif 000014
【図１３】
2005012278.tif 000015
【図１４】
2005012278.tif 000016
【図１５】
2005012278.tif 000017
【図１６】
2005012278.tif 000018